(57)【特許請求の範囲】
【請求項１】
ＩＣチップを含むカードの表面および裏面にそれぞれ表面印画データおよび裏面印画データが印画されたカードを発行するカード発行装置において、
ＩＣチップに記録されるべきＩＣデータと、カードの表面に印画されるべき表面印画データと、を受信し、かつ、カードの裏面に印画されるべき裏面印画データを生成する裏面データ生成部と、
前記裏面データ生成部に接続され、前記表面印画データをカードの表面に印画するとともに、前記裏面データ生成部によって生成された前記裏面印画データをカードの裏面に印画する両面印画部と、を備え、
前記裏面データ生成部は、前記ＩＣデータと前記表面印画データとの差異に基づいて、前記裏面印画データを生成することを特徴とするカード発行装置。
【請求項２】
前記ＩＣデータおよび前記表面印画データは、それぞれ複数の項目のデータを含み、
前記裏面データ生成部は、前記ＩＣデータに含まれる項目のデータであって、前記表面印画データに含まれない項目のデータを欠落データとして抽出し、その後、前記欠落データを前記裏面印画データとして割り当てることを特徴とする請求項１に記載のカード発行装置。
【請求項３】
前記ＩＣデータおよび前記表面印画データに含まれる複数の項目のデータの少なくとも一部は、所定の規則に従ってコードに変換され得るコード対応データからなり、
前記裏面データ生成部は、前記コード対応データと前記コードとを対応付ける定義ファイルを有し、
前記裏面データ生成部は、前記定義ファイルに基づいて前記ＩＣデータの前記コード対応データおよび前記表面印画データの前記コード対応データをそれぞれ対応するコードに変換し、次に、前記ＩＣデータに含まれるコードであって、前記表面印画データに含まれないコードを欠落コードとして抽出し、その後、前記定義ファイルに基づいて前記欠落コードをコード対応データに変換し、このコード対応データを前記裏面印画データとして割り当てることを特徴とする請求項２に記載のカード発行装置。
【請求項４】
前記ＩＣデータおよび前記表面印画データは、それぞれ複数の項目のデータを含み、
前記裏面データ生成部は、前記ＩＣデータに含まれる複数の項目のデータのうち、前記表面印画データに含まれる対応する項目のデータとの間で差異が存在するデータを不完全データとして抽出し、その後、前記不完全データを前記裏面印画データとして割り当てることを特徴とする請求項１乃至３のいずれか一項に記載のカード発行装置。
【請求項５】
カードの表面および裏面にそれぞれ表面印画データおよび裏面印画データが印画されたカードを発行するカード発行装置において、
複数のコードを含むコード情報と、カードの表面に印画されるべき複数の項目のデータを含む表面印画データと、を受信し、かつ、カードの裏面に印画されるべき裏面印画データを生成する裏面データ生成部と、
前記裏面データ生成部に接続され、前記表面印画データをカードの表面に印画するとともに、前記裏面データ生成部によって生成された前記裏面印画データをカードの裏面に印画する両面印画部と、を備え、
前記表面印画データに含まれる複数の項目のデータの少なくとも一部は、所定の規則に従ってコードに変換され得るコード対応データからなり、
前記裏面データ生成部は、前記コード対応データと前記コードとを対応付ける定義ファイルを有し、
前記裏面データ生成部は、前記定義ファイルに基づいて前記表面印画データの前記コード対応データを対応するコードに変換し、次に、前記コード情報に含まれるコードであって、前記表面印画データに含まれないコードを欠落コードとして抽出し、その後、前記定義ファイルに基づいて前記欠落コードをコード対応データに変換し、このコード対応データを前記裏面印画データとして割り当てることを特徴とするカード発行装置。
【請求項６】
カードはＩＣチップを含み、
ＩＣチップに記録されるべき複数の項目のデータを含むＩＣデータが前記裏面データ生成部によってさらに受信され、
前記裏面データ生成部は、前記ＩＣデータに含まれる複数の項目のデータのうち、前記表面印画データに含まれる対応する項目のデータとの間で差異が存在するデータを不完全データとして抽出し、その後、前記不完全データを前記裏面印画データとして割り当てることを特徴とする請求項５に記載のカード発行装置。
【請求項７】
前記裏面データ生成部は、カードの裏面に印画可能な項目のデータに関する情報を含む印画可能項目ファイルを有することを特徴とする請求項１乃至６のいずれか一項に記載のカード発行装置。
【請求項８】
前記カード発行装置は、被写体を撮像して画像データを作成し、前記画像データを前記両面印画部に送る撮影部をさらに備え、
前記裏面データ生成部の機能は、前記撮影部に組み込まれていることを特徴とする請求項１乃至７のいずれか一項に記載のカード発行装置。
【発明の詳細な説明】
【技術分野】
【０００１】
本発明は、表面および裏面にそれぞれ表面印画データおよび裏面印画データが印画されたカードを発行するカード発行装置に関する。
【背景技術】
【０００２】
社員証、銀行カード、運転免許証等のカードを発行する場合、カードの表面、および必要に応じて裏面にも所定のデータが印字される。例えば特許文献１において、カードの表面および裏面に各々表面印字データおよび裏面印字データを印字する印字装置が提案されている。
【先行技術文献】
【特許文献】
【０００３】
【特許文献１】特開２００８−２３９０６号公報
【発明の概要】
【発明が解決しようとする課題】
【０００４】
印字装置を備えた既存のカード発行システムの中には、カードの表面にのみ所定の表面印字データを印字するよう構成されたものがある。このようなカード発行システムにおいては、カードの裏面に対して裏面印字データを印字することが想定されていないため、通常、表面印字データのみが印字装置に送信され、裏面印字データは印字装置に送信されない。この場合、カードの裏面への印字を実現するためには、印字装置だけでなくカード発行システム全体を置き換える必要がある。
【０００５】
本発明は、このような課題を効果的に解決し得るカード発行装置を提供することを目的とする。
【課題を解決するための手段】
【０００６】
第１の本発明は、ＩＣチップを含むカードの表面および裏面にそれぞれ表面印画データおよび裏面印画データが印画されたカードを発行するカード発行装置において、ＩＣチップに記録されるべきＩＣデータと、カードの表面に印画されるべき表面印画データと、を受信し、かつ、カードの裏面に印画されるべき裏面印画データを生成する裏面データ生成部と、前記裏面データ生成部に接続され、前記表面印画データをカードの表面に印画するとともに、前記裏面データ生成部によって生成された前記裏面印画データをカードの裏面に印画する両面印画部と、を備え、前記裏面データ生成部は、前記ＩＣデータと前記表面印画データとの差異に基づいて、前記裏面印画データを生成することを特徴とするカード発行装置である。
【０００７】
第１の本発明によるカード発行装置において、前記ＩＣデータおよび前記表面印画データは、それぞれ複数の項目のデータを含んでいてもよい。この場合、前記裏面データ生成部は、前記ＩＣデータに含まれる項目のデータであって、前記表面印画データに含まれない項目のデータを欠落データとして抽出し、その後、前記欠落データを前記裏面印画データとして割り当ててもよい。
【０００８】
第１の本発明によるカード発行装置において、前記ＩＣデータおよび前記表面印画データに含まれる複数の項目のデータの少なくとも一部は、所定の規則に従ってコードに変換され得るコード対応データからなり、前記裏面データ生成部は、前記コード対応データと前記コードとを対応付ける定義ファイルを有していてもよい。この場合、前記裏面データ生成部は、前記定義ファイルに基づいて前記ＩＣデータの前記コード対応データおよび前記表面印画データの前記コード対応データをそれぞれ対応するコードに変換し、次に、前記ＩＣデータに含まれるコードであって、前記表面印画データに含まれないコードを欠落コードとして抽出し、その後、前記定義ファイルに基づいて前記欠落コードをコード対応データに変換し、このコード対応データを前記裏面印画データとして割り当ててもよい。
【０００９】
第１の本発明によるカード発行装置において、前記ＩＣデータおよび前記表面印画データは、それぞれ複数の項目のデータを含んでいてもよい。この場合、前記裏面データ生成部は、前記ＩＣデータに含まれる複数の項目のデータのうち、前記表面印画データに含まれる対応する項目のデータとの間で差異が存在するデータを不完全データとして抽出し、その後、前記不完全データを前記裏面印画データとして割り当ててもよい。
【００１０】
第２の本発明は、カードの表面および裏面にそれぞれ表面印画データおよび裏面印画データが印画されたカードを発行するカード発行装置において、複数のコードを含むコード情報と、カードの表面に印画されるべき複数の項目のデータを含む表面印画データと、を受信し、かつ、カードの裏面に印画されるべき裏面印画データを生成する裏面データ生成部と、前記裏面データ生成部に接続され、前記表面印画データをカードの表面に印画するとともに、前記裏面データ生成部によって生成された前記裏面印画データをカードの裏面に印画する両面印画部と、を備え、前記表面印画データに含まれる複数の項目のデータの少なくとも一部は、所定の規則に従ってコードに変換され得るコード対応データからなり、前記裏面データ生成部は、前記コード対応データと前記コードとを対応付ける定義ファイルを有し、前記裏面データ生成部は、前記定義ファイルに基づいて前記表面印画データの前記コード対応データを対応するコードに変換し、次に、前記コード情報に含まれるコードであって、前記表面印画データに含まれないコードを欠落コードとして抽出し、その後、前記定義ファイルに基づいて前記欠落コードをコード対応データに変換し、このコード対応データを前記裏面印画データとして割り当てることを特徴とするカード発行装置である。
【００１１】
第２の本発明によるカード発行装置において、カードはＩＣチップを含み、ＩＣチップに記録されるべき複数の項目データを含むＩＣデータが前記裏面データ生成部によってさらに受信されてもよい。この場合、前記裏面データ生成部は、前記ＩＣデータに含まれる複数の項目のデータのうち、前記表面印画データに含まれる対応する項目のデータとの間で差異が存在するデータを不完全データとして抽出し、その後、前記不完全データを前記裏面印画データとして割り当ててもよい。
【００１２】
本発明によるカード発行装置において、前記裏面データ生成部は、カードの裏面に印画可能な項目のデータに関する情報を含む印画可能項目ファイルを有していてもよい。
【００１３】
本発明によるカード発行装置において、前記カード発行装置は、被写体を撮像して画像データを作成し、前記画像データを前記両面印画部に送る撮影部をさらに備えていてもよい。この場合、前記裏面データ生成部の機能は、前記撮影部に組み込まれていてもよい。
【発明の効果】
【００１４】
本発明によるカード発行装置によれば、前記裏面データ生成部は、カード発行装置に送られてくるＩＣデータと表面印画データとの差異に基づいて、若しくは、カード発行装置に送られてくるコード情報と表面印画データとの差異に基づいて、カードの裏面に印画されるべき裏面印画データを生成することができる。このため、既存のカード発行システムのカード発行装置のみを置き換えることによって、カードの裏面への印画を実現することができる。
【図面の簡単な説明】
【００１５】
【図１】図１（ａ）（ｂ）は、カードの表面および裏面を示す図。
【図２】図２は、第１の実施の形態によるカード発行装置を備えたカード発行システムを示すブロック図。
【図３】図３は、定義ファイルを示す図。
【図４】図４は、裏面印画可能項目ファイルを示す図。
【図５】図５は、カードの発行を申請するための申請書を示す図。
【図６】図６は、ホストコンピュータに記録される情報を示す図。
【図７】図７は、第１の実施の形態において、ホストコンピュータからカード発行装置に送られるＩＣデータを示す図。
【図８】図８は、第１の実施の形態において、ホストコンピュータからカード発行装置に送られる表面印画データを示す図。
【図９】図９は、第１の実施の形態において、ＩＣデータと表面印画データとを比較する様子を示す図。
【図１０】図１０は、比較の形態におけるカード発行システムを示すブロック図。
【図１１】図１１（ａ）（ｂ）は、第１の実施の形態によるカード発行装置によって発行されるカードの変形例を示す図。
【図１２】図１２は、第２の実施の形態によるカード発行装置を備えたカード発行システムを示すブロック図。
【図１３】図１３は、第２の実施の形態において、ホストコンピュータからカード発行装置に送られる表面印画データを示す図。
【図１４】図１４は、第２の実施の形態において、コード情報と表面印画データとを比較する様子を示す図。
【発明を実施するための形態】
【００１６】
第１の実施の形態
以下、図１乃至図９を参照して、本発明の第１の実施の形態について説明する。まず図１により、本実施の形態によるカード発行装置１０によって発行されるカード２０について説明する。なお本実施の形態においては、カード２０の一例として社員証を示すが、カード発行装置１０によって発行されるカードが社員証に限られることはなく、銀行カード、運転免許証等の様々なカードに対してカード発行装置１０が適用され得る。
【００１７】
カード
図１（ａ）は、カード２０の表面２０ａを示す図であり、図１（ｂ）は、カード２０の裏面２０ｂを示す図である。図１（ａ）に示すように、カード２０の表面２０ａには、カード２０の所有者を特定するための様々な表面印画データ２２、および、カード２０の所有者の外見に関する画像データ２８が印画されている。なお本実施の形態において、「印画」とは、カード２０上に顔画像などの画像データを印画することだけでなく、カード２０上に文字などの活字データを印字することも含む概念である。また図１（ａ）において点線で示されているように、カード２０は、活字データや画像データ２８などの様々なデータを記録することができるＩＣチップ２１を含んでいる。
【００１８】
カード２０の表面に印画される表面印画データ２２の具体例が特に限られることはなく、様々なデータが選択され得る。図１（ａ）に示す例において、表面印画データ２２は、氏名データ２２ａ、社員番号データ２２ｂ、所属会社データ２２ｃ、住所データ２２ｄ、部署データ２２ｅ、役職データ２２ｆおよび特記事項データ（第１特記事項データ）２２ｇを含んでいる。
【００１９】
図１（ｂ）に示すように、後述するカード発行装置１０によれば、カード２０の所有者を特定するためのデータの一部をカード２０の裏面２０ｂに印画することができる。例えば図１（ｂ）に示すように、カード２０の所有者に関する特記事項データのうち、スペースの都合上カード２０の表面２０ａに印画しきれなかった特記事項データ（第２特記事項データ）２６ｈをカード２０の裏面２０ｂに印画することができる。
【００２０】
なおカード２０の所有者を特定するためのデータ以外にも、図１（ａ）（ｂ）に示すように、定型的なデータ２９ａ〜２９ｃがさらにカード２０に印画されていてもよい。このような定型的なデータ２９ａ〜２９ｃは、本実施の形態によるカード発行装置１０によって印画されてもよく、若しくは、カード発行装置１０に供給されるカード２０に予め印画されていてもよい。また図１（ａ）に示すように、カード２０の裏面２０ｂに特記事項データの一部が印画されていることを示唆する注記データ２９ｄがさらに表面２０ａに印画されていてもよい。
【００２１】
カード発行システム
次に図２乃至４を参照して、上述のカード２０を発行するためのカード発行装置１０を備えたカード発行システム１について説明する。図２は、カード発行システム１を示すブロック図である。
【００２２】
図２に示すように、カード発行システム１は、カード２０の発行を申請するための申請書４０に記載された情報を登録するための登録端末２と、登録端末２に接続されたホストコンピュータ３と、ホストコンピュータ３に接続されたカード発行装置１０と、を備えている。なおカード発行システム１は、カード２０を新規に発行する際に利用されてもよく、若しくは、カード２０を更新するために利用されてもよい。
【００２３】
（登録端末）
登録端末２は、申請書４０に記載されている情報のうち、一部の情報を記載のとおりに登録し、その他の情報をコード化して登録するよう構成されている。例えば氏名情報や社員番号情報などカード２０の保有者に固有の情報は、申請書４０に記載されているとおりに登録端末２に登録される。一方、所属会社情報や部署情報など、同一の情報に複数のカード２０の所有者が該当し得る情報は、後に具体的に説明するようにコードとして登録端末２に登録される。このように一部の情報をコード化することにより、登録に要する労力や、情報を保管するために必要となる記録容量を低減することができる。
【００２４】
（ホストコンピュータ）
ホストコンピュータ３は、ＩＣカード発行システム１を統合的に管理するとともに、登録端末２によって登録されるカード２０の申請者に関する情報を保管する装置である。上述のように、登録端末２に登録される情報には、申請書４０に記載されているとおりの文字として登録される情報（以下、文字情報と称する）と、コードとして登録される情報（以下、コード情報と称する）とが含まれている。従って、ホストコンピュータ３には、文字情報およびコード情報の両方が保管される。またホストコンピュータ３は、保管されている文字情報およびコード情報に基づいてカード２０に印画されるべきデータを生成し、当該データをカード発行装置１０に送信するよう構成されている。
【００２５】
ここで、本実施の形態によるカード発行装置１０が解決しようとする課題について説明する。従来のカード発行システムの中には、カード２０の表面２０ａにのみデータを印画するよう構成されたものがある。例えば、カード２０の裏面２０ｂにデータが印画される確率が低い場合、コストを考慮して、カード２０の表面２０ａにのみデータを印画するようカード発行システムが構成されることが考えられる。このようなカード発行システムにおいては、従来、カード２０の裏面２０ｂにデータを印画する必要がある場合、後に比較の形態として説明するように、例えばカード発行システムとは別個に設けられた追記システムが用いられる。若しくは、カード発行システム全体が、カード２０の裏面２０ｂへの印画が可能であるシステムに置き換えられる。
【００２６】
これに対して本実施の形態によれば、後述するように、従来のカード発行システムにおけるカード発行装置を本実施の形態によるカード発行装置１０に置き換えることによって、カード発行システムを、カード２０の裏面２０ｂへの印画が可能なシステムに改良することができる。
【００２７】
なお本実施の形態においては、ホストコンピュータ３からカード発行装置１に送信されるデータには、カード２０の表面２０ａに印画されるべきデータ（以下、表面印画データと称する）と、ＩＣチップ２１に記憶されるべきＩＣデータ３２とは含まれているが、カード２０の裏面２０ｂに印画されるべきデータ（以下、裏面印画データと称する）は含まれていない、という例について説明する。また、ホストコンピュータ３からカード発行装置１に送信される表面印画データおよびＩＣデータは、活字データとして送信されるとする。なお「活字データ」とは、所定の文字コード（ＪＩＳ  Ｘ  ０２０８など）に従って表現されたデータのことである。
【００２８】
ところで上述のように、ホストコンピュータ３に保管されている情報には、文字情報だけでなくコード情報も含まれている。ここで、カード発行装置１に送信される表面印画データおよびＩＣデータが、文字情報だけでなくコード情報にも基づいて生成される場合、ホストコンピュータ３においてコード情報の各コードが活字データに変換されることが好ましい。このため図２に示すように、ホストコンピュータ３には、活字データとコードとを対応付ける定義ファイル１４が含まれている。
【００２９】
定義ファイル１４の一例を図３に示す。図３に示すように、定義ファイル１４には、３桁のコードと、それに対応する活字データとがカテゴリ別に記録されている。なおコードと活字データとが１対１に対応している必要はなく、１つのコードに対して２つ以上の対応する活字データが存在していてもよい。例えば図３に示すように、「２２１」というコードに対して、「研究開発本部  第１システム技術開発課」という正式名称を表す活字データと、「研開本部  第１シス課」という略称を表す活字データとがそれぞれ対応していてもよい。
【００３０】
（カード発行装置）
次にカード発行装置１０について説明する。図２に示すように、カード発行装置１０は、裏面データ生成部１１と、撮影部１２と、裏面データ生成部１１および撮影部１２に接続された両面印画部１３と、を有している。
【００３１】
このうち裏面データ生成部１１は、ホストコンピュータ３から送信される表面印画データ２２およびＩＣデータ３２を受信するよう、ホストコンピュータ３との間で通信可能となっている。また裏面データ生成部１１は、ＩＣデータ３２と表面印画データ２２との差異に基づいて、カード２０の裏面２０ｂに印画されるべき裏面印画データ２６を生成するよう構成されている。生成された裏面印画データ２６は、両面印画部１３に送信される。
【００３２】
撮影部１２は、カード２０の所有者の外見に関する画像データ２８を生成するものである。生成された画像データ２８は、両面印画部１３に送信される。画像データ２８を生成するための具体的な方法は特には限られないが、例えば、申請書４０に貼付された顔写真を撮影することによって画像データ２８が生成される。カード２０の所有者を直接撮影することによって画像データ２８が取得されてもよい。
【００３３】
両面印画部１３は、表面印画データ２２をカード２０の表面２０ａに印画するとともに、裏面データ生成部１１によって生成された裏面印画データ２６をカード２０の裏面２０ｂに印画するよう構成されている。なお図２においては、裏面データ生成部１１を介して表面印画データ２２が両面印画部１３に送信される例が示されているが、これに限られることはなく、ホストコンピュータ３から両面印画部１３へ直接に表面印画データ２２が送信されてもよい。
【００３４】
表面印画データ２２および裏面印画データ２６をカード２０の表面２０ａおよび裏面２０ｂに印画するための具体的な方法が特に限られることはなく、様々な方法が適宜用いられ得る。例えば、両面印画部１３は、カード２０の表面２０ａに表面印画データ２２を印画する表面用プリンタ（図示せず）と、カード２０の裏面２０ｂに裏面印画データ２６を印画する裏面用プリンタ（図示せず）と、をそれぞれ有していてもよい。また、データをカード２０に印画するための方式が特に限られることはなく、溶融転写方式、昇華転写方式など様々な方式が適宜用いられ得る。
【００３５】
なお図２に示すように、カード２０の所有者に関するデータのうちカード２０の裏面２０ｂに印画することが可能なデータの項目が記録された裏面印画可能項目ファイル１５が裏面データ生成部１１に含まれていてもよい。裏面印画可能項目ファイル１５の一例を図４に示す。図４に示す例においては、各項目のうち氏名、所属会社、住所、部署、役職および特記事項は、裏面２０ｂへの印画が可能な項目として記録されている。一方、社員番号は、カード２０ｂへの印画が不可能な項目として記録されている。このような裏面印画可能項目ファイル１５を考慮して裏面データ生成部１１が裏面印画データ２６を生成することにより、不適切なデータがカード２０の裏面２０ｂに印画されることを防ぐことができる。
【００３６】
（その他の構成要素）
また図２に示すように、カード２０の申請者に関するデータを保管するファイリング装置４がさらに設けられていてもよい。このファイリング装置４は、例えば図２に示すように、カード発行装置１０の裏面データ生成部１１および撮影部１２に接続されていてもよい。これによって、ホストコンピュータ３から送信される表面印画データ２２、裏面データ生成部１１によって生成される裏面印画データ２６、および、撮影部１２によって生成される画像データ２８などをファイリング装置４に保管することができる。
【００３７】
次に、このような構成からなる本実施の形態の作用について説明する。ここでは、カード発行装置１０を備えたカード発行システム１を用いてカード２０を発行する方法について説明する。
【００３８】
まず、カード２０の発行を申請する人に関する情報が記載された申請書４０が準備される。図５は、申請書４０の一例を示す図である。図５に示すように、申請書４０には、申請者の属性に関する属性情報４２と、申請者の外見に関する画像情報４８とが記載されている。属性情報４２は、例えば、氏名情報４２ａ、社員番号情報４２ｂ、所属会社情報４２ｃ、住所情報４２ｄ、部署情報４２ｅ、役職情報４２ｆ、第１特記事項情報４２ｇおよび第２特記事項情報４２ｈを含んでいる。
【００３９】
（登録工程）
はじめに、申請書４０に記載されている情報を登録端末２に登録する。この登録工程を実施するための具体的な方法が特に限られることはなく、様々な方法が採用され得る。例えば、オペレータ（図示せず）が申請書４０に記載されている情報をコンピュータに入力してもよく、若しくは、スキャナが申請書４０に記載されている情報を読み取ってもよい。
【００４０】
なお上述の登録工程において、各種の情報のうちコード化が可能な情報は、コードとして登録端末２に登録される。ここで、申請書４０に記載されている情報のうちコード化が可能な情報は、具体的には、所属会社情報４２ｃ、住所情報４２ｄ、部署情報４２ｅ、役職情報４２ｆ、第１特記事項情報４２ｇおよび第２特記事項情報４２ｈとなっている。従って、図６に示すように、情報４２ｃ〜４２ｈは、対応するコード４４ｃ〜４４ｈ（コード情報４４）として登録端末２に登録される。一方、氏名情報４２ａおよび社員番号情報４２ｂは、文字情報４３として登録端末２に登録される。登録端末２に登録された文字情報４３およびコード情報４４は、ホストコンピュータ３に保管される。
【００４１】
（表面印画データおよびＩＣデータの生成工程）
次に、ホストコンピュータ３が、保管されている文字情報４３およびコード情報４４に基づいて、カード２０のＩＣチップ２１に記録されるべきＩＣデータ３２と、カード２０の表面２０ａに印画されるべき表面印画データ２２と、を生成する。ホストコンピュータ３によって生成されたＩＣデータ３２および表面印画データ２２を図７および図８に示す。
【００４２】
ＩＣデータ３２には、登録端末２に登録された文字情報４３およびコード情報４４に対応する全てのデータが含まれている。すなわち図７に示すように、ＩＣデータ３２は、氏名データ３２ａおよび社員番号データ３２ｂを含む文字データ３３と、所属会社データ３２ｃ、住所データ３２ｄ、部署データ３２ｅ、役職データ３２ｆ、第１特記事項データ３２ｇおよび第２特記事項データ３２ｈを含むコード対応データ３４と、を有している。ここで「文字データ」とは、申請書４０に記載されているとおりに登録端末２に登録された文字情報４３に基づく活字データを意味している。また「コード対応データ」とは、コード化されて登録端末２に登録されたコード情報４４に基づく活字データであって、ホストコンピュータ３において定義ファイル１４に基づいて活字に変換された活字データを意味している。なお図７に示すように、ＩＣデータ３２のコード対応データ３４は、コード情報４４の各４４ｃ〜４４ｈを、図３に示される定義ファイル１４の「正式データ」に変換することにより得られるものとなっていてもよい。
【００４３】
一方、表面印画データ２２には、登録端末２に登録された文字情報４３およびコード情報４４のうちコード４４ｈに対応するデータを除くデータが含まれている。すなわち図８に示すように、表面印画データ２２は、氏名データ２２ａおよび社員番号データ２２ｂを含む文字データ２３と、所属会社データ２２ｃ、住所データ２２ｄ、部署データ２２ｅ、役職データ２２ｆおよび第１特記事項データ２２ｇを含むコード対応データ２４と、を有している。コード対応データ２４は、定義ファイル１４に基づいてコード情報４４の各コード４４ｃ〜４４ｇが活字に変換されたものである。なお図８に示すように、表面印画データ２２のコード対応データ２４は、コード情報４４の各４４ｃ〜４４ｇを、図３に示される定義ファイル１４の「略データ」に変換することにより得られるものとなっていてもよい。
【００４４】
このように、ホストコンピュータ３において生成される表面印画データ２２には、申請書４０に記載された第２特記事項情報４２ｈに対応するデータが含まれていない。これは、スペースの都合上カード２０の表面２０ａに第２特記事項情報４２ｈに対応するデータを印画することができないとホストコンピュータ３が判断したためである。
【００４５】
ホストコンピュータ３によって生成されたＩＣデータ３２および表面印画データ２２は、カード発行装置１０の裏面データ生成部１１に送信される。
【００４６】
（裏面印画データの生成工程）
次に、裏面データ生成部１１は、ホストコンピュータ３から送信されるＩＣデータ３２および表面印画データ２２に基づいて、カード２０の裏面２０ｂに印画されるべき裏面印画データ２６を生成する。例えば、裏面データ生成部１１は、はじめに、ＩＣデータ３２に含まれる項目のデータであって、表面印画データ２２に含まれない項目のデータを欠落データとして抽出する。ここでは、ＩＣデータ３２の第２特記事項データ３２ｈが欠落データとして抽出される。次に、裏面データ生成部１１は、欠落データである第２特記事項データ３２ｈを、裏面印画データ２６として割り当てる。これによって、「第一級陸上無線技術士」という第２特記事項データ２６ｈを含む裏面印画データ２６が生成される。生成された裏面印画データ２６は、表面印画データ２２とともに両面印画部１３に送信される。
【００４７】
なお、ＩＣデータ３２に含まれる項目のデータであって、表面印画データ２２に含まれない項目のデータを欠落データとして抽出する際の具体的な方法が特に限られることはなく、様々な方法が適宜用いられ得る。
例えば、ＩＣデータ３２に含まれる各データ３２ａ〜３２ｈと表面印画データ２２に含まれる各データ２２ａ〜２２ｇとを項目ごとに比較し、比較結果に基づいて欠落データを抽出してもよい。この際、各データ２２ａ〜２２ｇ，３２ａ〜３２ｈのうちコードに対応しているデータ２２ｃ〜２２ｇ，３２ｃ〜３２ｈについては、図９に示すように、裏面データ生成部１１が有する定義ファイル１４に基づいてコード２２ｃ’〜２２ｇ’，３２ｃ’〜３２ｈ ’に変換された状態で比較されてもよい。
若しくは、図示はしないが、コードに対応していないデータ２２ａ〜２２ｂ，３２ａ〜３２ｂの場合と同様に、コード対応データ２２ｃ〜２２ｇ，３２ｃ〜３２ｈについても、活字の状態で比較されてもよい。この時、部署データ３２ｅの「研究開発本部  第１システム技術開発課」と、部署データ２２ｅの「研開本部  第１シス課」との間の差異は、表現上の微差であるとして無視されてもよい。なお、活字の状態で比較される場合、裏面データ生成部１１に定義ファイル１４が含まれている必要はない。
【００４８】
また、裏面印画データ２６を生成する際、上述の裏面印画可能項目ファイル１５が考慮されてもよい。例えば、欠落データとして抽出されたデータが、裏面印画可能項目ファイル１５において裏面への印画が不可能な項目として記録されているデータに該当する場合、当該欠落データを裏面印画データ２６として割り当てることが中止されてもよい。
【００４９】
（画像データの生成工程）
撮影部１２においては、カード２０の所有者の外見に関する画像データ２８が生成される。画像データ２８を生成するための具体的な方法は特には限られないが、例えば、申請書４０に貼付された顔写真を撮影することによって画像データ２８が生成される。カード２０の所有者を直接撮影することによって画像データ２８が取得されてもよい。生成された画像データ２８は、両面印画部１３に送信される。
【００５０】
（印画工程）
両面印画部１３は、裏面データ生成部１１から送信される表面印画データ２２および裏面印画データ２６、並びに、撮影部１２から送信される画像データ２８をカード２０の表面２０ａおよび裏面２０ｂに印画する。これによって、表面２０ａおよび裏面２０ｂに所定のデータが印画されたカード２０が得られる。
【００５１】
なお図示はしないが、カードライタがカード発行システム１に設けられており、このカードライタによって、カード２０のＩＣチップ２１にＩＣデータ３２が書き込まれてもよい。
【００５２】
本実施の形態によれば、カード発行システム１のカード発行装置１０は、ＩＣデータ３２と表面印画データ２２との差異に基づいて裏面印画データ２６を生成する裏面データ生成部１１を有している。このため、既存のカード発行システムのカード発行装置を本実施の形態によるカード発行装置１０に置き換えることによって、カード２０の裏面２０ｂへの印画を実現することができる。
【００５３】
また本実施の形態によれば、裏面データ生成部１１は、ＩＣデータ３２に含まれる項目のデータであって、裏面印画データ２６に含まれない項目のデータを欠落データとして抽出し、その後、欠落データを裏面印画データ２６として割り当てるよう構成されている。このように項目単位でデータを比較し、これによって欠落データを抽出することにより、確実かつ効率的に裏面印画データ２６を生成することができる。
【００５４】
また本実施の形態によれば、表面印画データ２２およびＩＣデータ３２に含まれる複数の項目のデータの少なくとも一部は、所定の規則に従ってコードに変換され得るコード対応データ２４，３４からなっている。また、裏面データ生成部１１は、コード対応データ２４，３４とコードとを対応付ける定義ファイル１４を有している。そして裏面データ生成部１１は、定義ファイル１４に基づいてＩＣデータ３２のコード対応データ３４および表面印画データ２２のコード対応データ２４をそれぞれ対応するコードに変換し、次に、ＩＣデータ３２に含まれるコードであって、表面印画データ２２に含まれないコードを欠落コードとして抽出し、その後、定義ファイルに基づいて欠落コードをコード対応データに変換し、このコード対応データを裏面印画データ２６として割り当てるよう構成されている。このようにＩＣデータ３２と表面印画データ２２とをコードに変換された状態で比較し、これによって欠落コードを抽出することにより、より効率的に裏面印画データ２６を生成することができる。
【００５５】
比較の形態
次に、本実施の形態の効果を、比較の形態と比較することにより説明する。図１０は、比較の形態におけるカード発行システム１００を示すブロック図である。図１０に示すように、カード発行システム１００においては、カード発行装置１１０に裏面データ生成部が設けられていない。またカード発行システム１００においては、カード２０の裏面２０ｂにデータを印画するための追記システム１２０がさらに設けられている。図１０に示す比較の形態において、図１乃至９に示す本実施の形態と同一部分には同一符号を付して詳細な説明は省略する。
【００５６】
上述のように、比較の形態においては、カード発行装置１１０に裏面データ生成部が設けられておらず、このため、カード発行装置１１０によって作製されるカード２０’の裏面２０ｂにはデータが印画されていない。従って、比較の形態において裏面２０ｂにデータを印画するためには、カード発行装置１１０によって作製されるカード２０’をさらに追記システム１２０に投入する必要がある。追記システム１２０においては、例えば、はじめに、申請書４０に記載された情報のうちカード２０’の表面２０ａにまだ印画されていないデータに対応する情報を、オペレータが追記登録端末１２１に登録する。その後、追記登録端末１２１に登録された情報に対応するデータが、裏面印画部１２２によってカード２０’の裏面２０ｂに印画される。このように比較の形態によれば、カード２０の裏面２０ｂへの印画を実現するため、カード発行装置１１０の他に追記システム１２０が必要となる。このため、カード発行システム１００全体のコストが高くなることや、カード２０の発行に要する時間が長くなることが考えられる。
【００５７】
これに対して本実施の形態によれば、カード発行システム１のカード発行装置１０は、ＩＣデータ３２と表面印画データ２２との差異に基づいて裏面印画データ２６を生成する裏面データ生成部１１を有している。このため、既存のカード発行システムのカード発行装置を本実施の形態によるカード発行装置１０に置き換えることによって、カード２０の裏面２０ｂへの印画を実現することができる。このことにより、カード２０の裏面２０ｂへの印画を実現するためのコストを低くすることができ、また、カード２０の発行に要する時間を短くすることができる。
【００５８】
変形例
なお本実施の形態において、表面印画データ２２およびＩＣデータ３２のコード対応データ２２ｃ〜２２ｇ，３２ｃ〜３２ｈが活字の状態で比較される場合に、部署データ３２ｅの「研究開発本部  第１システム技術開発課」と、部署データ２２ｅの「研開本部  第１シス課」との間の差異のような、同一項目内における表現上の微差と言える程度の差異が無視される例を示した。しかしながら、これに限られることはなく、裏面データ生成部１１は、このような差異が存在する項目のデータを不完全データとして抽出し、その後、この不完全データを裏面印画データ２６として割り当ててもよい。例えば、裏面データ生成部１１は、データ２２ｅ，３２ｅのうち定義ファイル１４において正式データとして記録されている方のデータ、すなわちＩＣデータ３２の部署データ３２ｅを裏面印画データ２６として割り当ててもよい。この場合、図１１（ａ）（ｂ）に示すように、第２特記事項データ２６ｈに加えて部署データ２６ｅも裏面印画データ２６としてカード２０の裏面２０ｂに印画される。これによって、より詳細なデータをカード２０の裏面２０ｂから得ることが可能となる。
【００５９】
なお図１１（ａ）（ｂ）に示す変形例においては、表面印画データ２２のコード対応データ２４の各項目のデータ内容と、ＩＣデータ３２のコード対応データ３４の各項目のデータ内容との間に差異が存在する場合に、差異が存在する項目のデータが不完全データとして抽出される例を示した。しかしながら、これに限られることはなく、表面印画データ２２の文字データ２３の各項目のデータ内容と、ＩＣデータ３２の文字データ３３の各項目のデータ内容との間に差異が存在する場合に、差異が存在する項目のデータを不完全データとして抽出してもよい。例えば、図５で括弧内に表されているように申請書４０の氏名欄には旧姓も記載されている場合であって、ＩＣデータ３２の氏名データ３２ａには旧姓も含まれているが（図７の氏名データ３２ａの括弧内参照）、表面印画データ２２の氏名データ２２ａにはスペースの都合上旧姓が省略されている場合が考えられる。この場合、裏面データ生成部１１は、ＩＣデータ３２の氏名データ３２ａを不完全データとして抽出し、その後、この不完全データを裏面印画データ２６として割り当ててもよい。
【００６０】
第２の実施の形態
次に図１２乃至１４を参照して、本発明の第２の実施の形態について説明する。
【００６１】
図１２は、カード発行システム１を示すブロック図である。本実施の形態においては、図１２に示すように、ホストコンピュータ３からカード発行装置１に送信されるデータには、複数のコードを含むコード情報４４と、カード２０の表面２０ａに印画されるべき複数の項目の表面印画データ２２とが含まれているが、カード２０の裏面２０ｂに印画されるべき裏面印画データ２６は含まれていない、という例について説明する。ここでコード情報４４は、例えば、ファイリング装置４やカード２０のＩＣチップ２１への記録のためにホストコンピュータ３から送信されている。図１２乃至１４に示す第２の実施の形態において、図１乃至図９および図１１（ａ）（ｂ）に示す第１の実施の形態と同一部分には同一符号を付して詳細な説明は省略する。
【００６２】
以下、このような構成からなる本実施の形態の作用について説明する。ここでは、カード発行装置１０を備えたカード発行システム１を用いてカード２０を発行する方法について説明する。
【００６３】
はじめに、カード２０の発行を申請する人に関する情報が記載された申請書４０が準備される。次に、申請書４０に記載されている情報を登録端末２に登録する。これらの工程は、上述の第１の実施の形態の場合と略同一であるので、詳細な説明は省略する。
【００６４】
（表面印画データの生成工程）
次に、ホストコンピュータ３が、保管されている文字情報４３およびコード情報４４に基づいて、カード２０の表面２０ａに印画されるべき表面印画データ２２を生成する。その後、ホストコンピュータ３は、生成された表面印画データ２２と、ホストコンピュータ３に保管されているコード情報４４とをカード発行装置１０の裏面データ生成部１１に送信する。カード発行装置１０の裏面データ生成部１１に向けて送信される表面印画データ２２およびコード情報４４の詳細を図１３に示す。図１３に示すように、表面印画データ２２に含まれる複数の項目のデータの少なくとも一部は、所定の規則に従ってコードに変換され得るコード対応データ２４からなっている。
【００６５】
（裏面印画データの生成工程）
次に、裏面データ生成部１１は、ホストコンピュータ３から送信されるコード情報４４および表面印画データ２２に基づいて、カード２０の裏面２０ｂに印画されるべき裏面印画データ２６を生成する。例えば、裏面データ生成部１１は、はじめに、定義ファイル１４に基づいて、表面印画データ２２に含まれるコード対応データ２４（データ２２ｃ〜２２ｇ）を、対応するコード２２ｃ’〜２２ｇ’に変換する。次に、コード情報４４に含まれるコードであって、表面印画データ２２の各データに対応するコードに含まれないコードを、欠落コードとして抽出する。例えば図１４に示すように、コード情報４４に含まれるコードと、表面印画データ２２の各データに対応するコードとを項目ごとに比較し、比較結果に基づいて、コード４４ｈを欠落コードとして抽出する。その後、定義ファイル１４に基づいて、コード４４ｈを活字データ（コード対応データ）に変換する。これによって、第２特記事項データ２６ｈを含む裏面印画データ２６が生成される。生成された裏面印画データ２６は、表面印画データ２２とともに両面印画部１３に送信される。
【００６６】
このように本実施の形態によれば、カード発行システム１のカード発行装置１０は、コード情報４４と、表面印画データ２２のコード対応データ２４に対応するコードと、の差異に基づいて裏面印画データ２６を生成する裏面データ生成部１１を有している。このため、既存のカード発行システムのカード発行装置を本実施の形態によるカード発行装置１０に置き換えることによって、カード２０の裏面２０ｂへの印画を実現することができる。
【００６７】
なお本実施の形態においても、上述の第１の実施の形態の場合と同様に、カード２０にＩＣチップ２１が含まれており、またホストコンピュータ３からカード発行装置１０の裏面データ生成部１１に、ＩＣチップ２１に記録されるべき複数の項目のデータを含むＩＣデータ３２が送信されてもよい。この場合、裏面データ生成部１１は、上述の第１の実施の形態の変形例の場合と同様に、ＩＣデータ３２に含まれる複数の項目のデータのうち、表面印画データ２２に含まれる対応する項目のデータとの間で差異が存在するデータを不完全データとして抽出し、その後、不完全データを裏面印画データ２６として割り当ててもよい。これによって、より詳細なデータをカード２０の裏面２０ｂから得ることが可能となる。
【００６８】
なお上述の各実施の形態において、カード発行装置１０の裏面データ生成部１１が撮影部１２や両面印画部１３とは別個に設けられている例を示した。しかしながら、これに限られることはなく、裏面データ生成部１１が撮影部１２や両面印画部１３と一体に構成されていてもよい。すなわち、裏面データ生成部１１の機能が撮影部１２や両面印画部１３に組み込まれていてもよい。
【００６９】
また上述の各実施の形態において、カード発行装置１０に撮影部１２が設けられている例を示した。しかしながら、これに限られることはなく、カード発行装置１０に撮影部１２が設けられていなくてもよい。この場合、カード２０に印画される画像データ２８として、スキャナによって読み取られた申請書４０の画像情報４８に基づくデータが用いられてもよい。若しくは、カード２０に画像データ２８が印画されなくてもよい。
【００７０】
また上述の各実施の形態において、ホストコンピュータ３から送信されるデータや情報に基づいて、カード発行装置１０の裏面データ生成部１１が裏面印画データ２６を生成する例を示した。しかしながら、これに限られることはなく、その他の構成要素から送信されるデータや情報に基づいて、裏面データ生成部１１が裏面印画データ２６を生成してもよい。例えば、カード発行システム１がカード２０を更新するために用いられる場合、以前のカードに関する情報やデータがＩＣチップ２１に記録されていることが考えられる。この場合、ＩＣチップ２１内の記録を図２および図１２において点線鎖線で示されるカードリーダ５で読み取ることにより得られる情報やデータに基づいて、裏面データ生成部１１が裏面印画データ２６を生成してもよい。
【符号の説明】
【００７１】
１  カード発行システム
２  登録端末
３  ホストコンピュータ
４  ファイリング装置
５  カードリーダ
１０  カード発行装置
１１  裏面データ生成部
１２  撮影部
１３  両面印画部
１４  定義ファイル
１５  裏面印画可能項目ファイル
２０  カード
２０ａ  表面
２０ｂ  裏面
２１  ＩＣチップ
２２  表面印画データ
２２ａ〜２２ｇ  データ
２３  文字データ
２４  コード対応データ
２６  裏面印画データ
２６ｈ  第２特記事項データ
２８  画像データ
２９ａ〜２９ｃ  定型データ
２９ｄ  注記データ
３２  ＩＣデータ
３２ａ〜３２ｈ  データ
３３  文字データ
３４  コード対応データ
４０  申請書
４２  属性情報
４２ａ〜４２ｈ  情報
４３  文字情報
４４  コード情報
４４ｃ〜４４ｈ  コード
４８  画像情報
１００  カード発行システム
１１０  カード発行装置
１１１  表面印画部
１１２  撮影部
１２０  追記システム
１２１  追記登録端末
１２２  裏面印画部
【図１】
0005717003.tif 000002
【図２】
0005717003.tif 000003
【図３】
0005717003.tif 000004
【図４】
0005717003.tif 000005
【図５】
0005717003.tif 000006
【図６】
0005717003.tif 000007
【図７】
0005717003.tif 000008
【図８】
0005717003.tif 000009
【図９】
0005717003.tif 000010
【図１０】
0005717003.tif 000011
【図１１】
0005717003.tif 000012
【図１２】
0005717003.tif 000013
【図１３】
0005717003.tif 000014
【図１４】
0005717003.tif 000015